(57)【要約】【課題】製作コストを低減しながら、情報伝達表示がよく目だつように光で照射する。【解決手段】内照式の表示灯は、透過乱反射層３１を有し、かつ文字、図形等を表示してなる明確表示領域３２とバックグラウンド表示領域３３からなる情報伝達表示を設けてなる透光プレート３０と、この透光プレート３０の内面側に配設されて、透光プレート３０の明確表示領域３２に光を照射する明確表示用の発光ダイオード４０Ａと、バックグラウンド表示領域３３に光を照射するバックグラウンド用の発光ダイオード４０Ｂと、明確表示用の発光ダイオード４０Ａとバックグラウンド用の発光ダイオード４０Ｂを固定しているプリント基板２０と、明確表示用の発光ダイオード４０Ａを点滅させて、バックグラウンド用の発光ダイオード４０Ｂを連続して点灯する電源装置５４とを備える。【選択図】  図３
2004279986.tif 000002
【特許請求の範囲】
【請求項１】
光の一部を内側から外側に透過し、かつ一部の光を散乱するように反射させる透過乱反射層（３１）を有し、なおかつ文字、図形等を表示してなる明確表示領域（３２）とバックグラウンド表示領域（３３）からなる情報伝達表示を設けてなる透光プレート（３０）と、この透光プレート（３０）の内面側に配設されて、透光プレート（３０）の明確表示領域（３２）に光を照射する明確表示用の発光ダイオード（４０Ａ）と、バックグラウンド表示領域（３３）に光を照射するバックグラウンド用の発光ダイオード（４０Ｂ）と、明確表示用の発光ダイオード（４０Ａ）とバックグラウンド用の発光ダイオード（４０Ｂ）を固定しているプリント基板（２０）と、明確表示用の発光ダイオード（４０Ａ）を点滅させて、バックグラウンド用の発光ダイオード（４０Ｂ）を連続して点灯するようにしてなる電源装置（５４）とを備える内照式の表示灯。
【請求項２】
プリント基板（２０）の表面に設けた導電パターン（２２Ｐ）が、所定の間隔離されて配置している正負の電源ライン（２２）を有し、この正負の電源ライン（２２）の間に、複数の発光ダイオード（４０）を直列に接続しているＬＥＤ回路（２３）を複数列に並べて配設して、ＬＥＤ回路（２３）の端部を正負の電源ライン（２２）に接続している請求項１に記載される内照式の表示灯。
【請求項３】
明確表示用の発光ダイオード（４０Ａ）とバックグラウンド用の発光ダイオード（４０Ｂ）が白色発光ダイオードで、この白色発光ダイオードは、可視光線を発光する発光チップ（４１）と、この発光チップ（４１）の発光に励起されて、発光チップ（４１）の発光とは異なる色の可視光線を発光する蛍光体（４２）とを備えており、蛍光体（４２）が発光チップ（４１）の光を外部に放射する光路に配設されて、発光チップ（４１）の発光と蛍光体（４２）との発光の両方を外部に放射して、発光チップ（４１）の発光と蛍光体（４２）の発光で白色に発光する発光ダイオード（４０）である請求項１に記載される内照式の表示灯。
【請求項４】
プリント基板（２０）が、表面に白色顔料を塗布して乱反射層（２１）を設けている請求項１又は３に記載される内照式の表示灯。
【請求項５】
透光プレート（３０）が、内部に白色顔料を充填して透過乱反射層（３１）を設けている請求項１に記載される内照式の表示灯。
【請求項６】
互いに離して配置される複数の個別表示灯（９０）と、各々の個別表示灯（９０）を点灯する電源装置（５４）とを備えており、
各々の個別表示灯（９０）は、光の一部を内側から外側に透過し、かつ一部の光を散乱するように反射させる透過乱反射層（３１）を有し、かつ異なる文字や図形等の情報伝達表示を表示している透光プレート（３０）と、この透光プレート（３０）の内面側に配設されて、透光プレート（３０）に光を照射する複数の発光ダイオード（４０）と、複数の発光ダイオード（４０）を固定しているプリント基板（２０）とを備えており、
各々の個別表示灯（９０）を点灯する電源装置（５４）は信号線（５９）を介して互いに接続され、信号線（５９）を介して接続される電源装置（５４）が各々の個別表示灯（９０）を連携して点滅させるようにしてなる内照式の表示灯。
【請求項７】
電源装置（５４）が、隣に配設している個別表示灯（９０）を順番に点灯する請求項６に記載される内照式の表示灯。
【請求項８】
光の一部を内側から外側に透過し、かつ一部の光を散乱するように反射させる透過乱反射層（３１）を有し、一方の表示領域と他方の表示領域からなる情報伝達表示を設けてなる透光プレート（３０）と、この透光プレート（３０）の内面側に配設されて、透光プレート（３０）の一方の表示領域に光を照射する一方の表示領域用の発光ダイオードと、他方の表示領域に光を照射する他方の表示領域用の発光ダイオードと、一方の表示領域用の発光ダイオードと他方の表示領域用の発光ダイオードを固定しているプリント基板（２０）と、一方の表示領域用の発光ダイオードの発光動作と、他方の表示領域用の発光ダイオードの発光動作が異なるように動作させる電源装置（５４）とを備える内照式の表示灯。
【発明の詳細な説明】
【０００１】
【発明の属する技術分野】
本発明は、文字や図形等の情報伝達表示を設けている透光プレートを、内蔵する発光ダイオードで内面から照射して、情報伝達表示を光で明確に表示する内照式の表示灯に関する。
【０００２】
【従来の技術】
多数の発光ダイオードを縦横に並べて配置し、点灯する発光ダイオードを選択して、点灯する発光ダイオードの光で文字や図形を表示する広告灯は開発されている。この広告灯は、多数の発光ダイオードを点灯する状態を変更して、種々の図形や模様を変化させながら表示できる。ただ、この広告灯は、発光ダイオードの配列で文字や図形を表示するので、発光ダイオードを使用する個数が極めて多くなり、また各々の発光ダイオードの点灯を独立して制御するので、製造コストが極めて高くなる。とくに、広告灯の面積が大きくなると、発光ダイオードの使用個数が膨大な数になって、製作コストはさらに高くなる。
【０００３】
これに対して、透光プレートに文字や図形等の情報伝達表示を表示し、この情報伝達表示を裏から光源で照射する内照式の広告灯は、製作コストを安くできる。とくに、安価に大きな広告灯を製作できる特長がある。しかしながら、内照式の広告灯は、発光ダイオードで直接に文字や図形を表示する方式に比較すると、暗くなる欠点がある。透光プレート自体が光を１００％透過させないことに加えて、透光プレートに光を透過させない部分を設けて文字や図形を表示するからである。したがって、内照式の広告灯を目だつようにするには、明るい光源を使用する必要がある。内照式の広告灯の光源として、電球と蛍光灯が使用される。電球等の光源は寿命が短いので、一定の期間経過すると交換する必要がある。広告灯は、簡単に部品交換ができない場所に設置されることが多く、またそのための費用が極めて高くなる高所や危険な場所に設置されることがある。このため、メンテナンス期間を長くできることは極めて大切なことである。この特長が生かされて、光源に発光ダイオードを使用する内照式の広告灯が開発されている。
【０００４】
【特許文献１】
実用新案登録第２５１１８４９号公報
【０００５】
【発明が解決しようとする課題】
この公報に記載される内照式の広告灯は、内蔵する発光ダイオードで、透光プレートを照射し、透光プレートに表示している文字や図形等の情報伝達表示を光で明確に表示する。この構造の内照式の広告灯は、よく目だつように光の強度を強くして明るくすることが大切である。ただ、明るくするには、多数の発光ダイオードを使用し、あるいは発光ダイオードに大電流を流す必要があるので、製造コストが高くなったり、あるいは発光ダイオードの寿命が短くなるなどの欠点がある。内照式の広告灯の製造コストは、発光ダイオードを電球に交換して低減できる。しかしながら、電球は寿命が短いのでメンテナンスに手間がかかる欠点がある。とくに、よく目だつように電球を点滅させると、寿命が著しく短くなる欠点がある。とくに、点滅の周期を短くして、フィラメントが充分に冷却されない状態で再点灯すると、点灯時に流れる大電流が高温のフィラメントをさらに高温に加熱して寿命を極端に短くする。このため、電球を光源とする内照式の広告灯は、電球の点灯電圧を低くして寿命を長くする必要がある。ただ、電球は点灯電圧を低くすると、電力を光に変換する効率が著しく低下する欠点があり、大電力を消費しながら明るくできない欠点がある。
【０００６】
本発明は、内照式の広告灯が有するこのような欠点を解決することを目的に開発されたもので、本発明の大切な目的は、製作コストを低減しながら、情報伝達表示がよく目だつように光で照射する内照式の表示灯を提供することにある。
【０００７】
【課題を解決するための手段】
本発明の内照式の表示灯は、情報伝達表示を設けている透光プレート３０と、この透光プレート３０の内面側に配設されて、透光プレート３０に光を照射する発光ダイオード４０と、発光ダイオード４０を固定しているプリント基板２０と、発光ダイオード４０を点灯させる電源装置５４とを備える。透光プレート３０は、光の一部を内面側から外側に透過し、かつ一部の光を散乱するように反射させる透過乱反射層３１を有する。さらに、透光プレート３０は、文字、図形等を表示してなる明確表示領域３２とバックグラウンド表示領域３３からなる情報伝達表示を設けている。この透光プレート３０の内面側には、透光プレート３０の明確表示領域３２に光を照射する明確表示用の発光ダイオード４０Ａと、バックグラウンド表示領域３３に光を照射するバックグラウンド用の発光ダイオード４０Ｂと、明確表示用の発光ダイオード４０Ａとバックグラウンド用の発光ダイオード４０Ｂを固定しているプリント基板２０とを配設している。電源装置５４は、明確表示用の発光ダイオード４０Ａを点滅させて、バックグラウンド用の発光ダイオード４０Ｂを連続して点灯している。
【０００８】
本発明の請求項２の内照式の表示灯は、プリント基板２０の表面に設けた導電パターン２２Ｐが、所定の間隔離されて配置している正負の電源ライン２２を有し、この正負の電源ライン２２の間に、複数の発光ダイオード４０を直列に接続しているＬＥＤ回路２３を複数列に並べて配設して、ＬＥＤ回路２３の端部を正負の電源ライン２２に接続している。
【０００９】
本発明の請求項３の内照式の表示灯は、明確表示用の発光ダイオード４０Ａとバックグラウンド用の発光ダイオード４０Ｂを白色発光ダイオードとしている。この白色発光ダイオードは、可視光線を発光する発光チップ４１と、この発光チップ４１の発光に励起されて、発光チップ４１の発光とは異なる色の可視光線を発光する蛍光体４２とを備えており、蛍光体４２を発光チップ４１の光を外部に放射する光路に配設して、発光チップ４１の発光と蛍光体４２との発光の両方を外部に放射して、発光チップ４１の発光と蛍光体４２の発光で白色に発光する発光ダイオード４０としている。
【００１０】
本発明の請求項４の内照式の表示灯は、プリント基板２０の表面に白色顔料を塗布して乱反射層２１を設けている。さらに、請求項５の内照式の表示灯は、透光プレート３０の内部に白色顔料を充填して透過乱反射層３１を設けている。
【００１１】
さらに、本発明の請求項６の内照式の表示灯は、互いに離して配置される複数の個別表示灯９０と、各々の個別表示灯９０を点灯する電源装置５４とを備える。各々の個別表示灯９０は、光の一部を内側から外側に透過し、かつ一部の光を散乱するように反射させる透過乱反射層３１を有すると共に、異なる文字や図形等の情報伝達表示を表示している透光プレート３０と、この透光プレート３０の内面側に配設されて、透光プレート３０に光を照射する複数の発光ダイオード４０と、複数の発光ダイオード４０を固定しているプリント基板２０とを備える。各々の個別表示灯９０を点灯する電源装置５４は、信号線５９を介して互いに接続されており、信号線５９を介して接続される電源装置５４が各々の個別表示灯９０を連携して点滅させている。さらに、請求項７の内照式の表示灯は、電源装置５４が、隣に配設している個別表示灯９０を順番に点灯させている。
【００１２】
さらに、本発明の請求項８の内照式の表示灯は、一方の表示領域と他方の表示領域からなる情報伝達表示を設けている透光プレート３０と、この透光プレート３０の内面側に配設されて、透光プレート３０に光を照射する発光ダイオード４０と、発光ダイオード４０を固定しているプリント基板２０と、発光ダイオード４０を点灯させる電源装置５４とを備える。透光プレート３０は、光の一部を内側から外側に透過し、かつ一部の光を散乱するように反射させる透過乱反射層３１を有する。この透光プレート３０の内面側には、透光プレート３０の一方の表示領域に光を照射する一方の表示領域用の発光ダイオードと、他方の表示領域に光を照射する他方の表示領域用の発光ダイオードと、一方の表示領域用の発光ダイオードと他方の表示領域用の発光ダイオードを固定しているプリント基板２０とを配設している。電源装置５４は、一方の表示領域用の発光ダイオードの発光動作と、他方の表示領域用の発光ダイオードの発光動作が異なるように動作させている。
【００１３】
【発明の実施の形態】
以下、本発明の実施例を図面に基づいて説明する。ただし、以下に示す実施例は、本発明の技術思想を具体化するための内照式の表示灯を例示するものであって、本発明は内照式の表示灯を以下のものに特定しない。
【００１４】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１５】
本発明の内照式の表示灯は、種々の広告を表示する広告灯、危険箇所及び注意事項を知らせる警告灯、交通標識等の標示灯、誘導や案内等に使用される誘導灯等の種々の用途に使用できる。以下に、実施例として、広告灯を用いて説明する。
【００１６】
図１と図２に示す内照式の広告灯は、ケース１０と、このケース１０に収納されるプリント基板２０と、このプリント基板２０の表面と平行に配設されてケース１０の開口部を閉塞している透光プレート３０とを備える。図の内照式の広告灯は、ケース１０を四角形としている。ただし、内照式の広告灯は、ケースの形状を必ずしも四角形とする必要はなく、種々の広告灯として最適な形状に製作される。
【００１７】
ケース１０は金属ケースである。このケース１０は金属板を加工して製作される。ただし、金属以外の材質で製作することもできる。図のケース１０は、底プレート１１の周囲に周壁１２を設けて、内部にプリント基板２０を収納している。周壁１２の上端に透光プレート３０を固定して、透光プレート３０がケース１０の開口部を閉塞している。透光プレート３０を固定するために、図のケース１０は、周壁１２の上端縁を内側に折曲して折曲面１３を設けている。折曲面１３は底プレート１１と平行で、この上に透光プレート３０を重ねて固定している。透光プレート３０と折曲面１３には貫通孔１４を設けており、この貫通孔１４に止ネジ１５を挿通して、止ネジ１５で透光プレート３０を折曲面１３に固定している。止ネジ１５は、折曲面１３の貫通孔１４を雌ネジ孔としてここにねじ込み、あるいは折曲面の内面にナット（図示せず）を設けて、止ネジをナットにねじ込んで透光プレート３０を折曲面に固定する。この構造は、止ネジ１５を外して透光プレート３０をケース１０から外すことができるので、メンテナンスを簡単にできる。ケース１０は、内面を白色に着色して、内面で白色光を効率よく反射するようにしている。
なお、内照式の広告灯は、透光プレート３０面を鉛直方向にした状態で、建物の壁面等に、折曲された金属である固定ベース７４を利用して止ボルト７３にて固定される。
【００１８】
透光プレート３０は、プリント基板２０の表面と対向し、かつプリント基板２０から離して配設される。透光プレート３０は、発光ダイオード４０に照射される。透光プレート３０は、図３ないし図５に示すように、文字、図形等を表示している明確表示領域３２とバックグラウンド表示領域３３とからなる情報伝達表示を設けている。図３の広告灯は、明確表示領域３２を、ロゴを表示する部分と、商品を表示する部分と、社名を表示する部分として、その他の部分をバックグラウンド表示領域３３とている。図４の広告灯は、明確表示領域３２を、ロゴを表示する部分と、商品である自動車の図形を示す輪郭部分と、社名を表示する部分として、その他の部分をバックグラウンド表示領域３３としている。図５の広告灯は、明確表示領域３２には、「モーニングセット  Ａセット  Ｂセット」等の文字からなる情報伝達表示を設け、バックグラウンド表示領域３３には図形からなる情報伝達表示を設けている。透光プレート３０は、明確表示領域３２に文字や図形からなる情報伝達表示を表示するが、バックグラウンド表示領域３３には必ずしも文字や図形からなる情報伝達表示を設ける必要はなく、バックグラウンド表示領域３３を無地とし、あるいは明確表示領域３２とは異なる色に着色することもできる。
【００１９】
透光プレート３０は、光の透過率を他の部分よりも低く、あるいは高くし、あるいはまた他の部分と異なる色に着色して、すなわち、透光性あるいは遮光性のパターン、色違いのパターンで絵柄や文字等を描くことにより、あるいは、透光性あるいは遮光性のパターンや色違いの絵柄、文字等を描いたフィルムを表面に固定して、情報伝達表示を設けることができる。
【００２０】
透光プレート３０は、発光ダイオード４０の光の一部を透過して、一部の光を散乱するように反射させる透過乱反射層３１を有する。この透光プレート３０は、透明なガラスやプラスチックの内部に粉末状の白色顔料を充填して、白色顔料で透過乱反射層３１としている。透光プレートは、内面または表面を微細な凹凸面として、透過乱反射層を設けることもできる。微細な凹凸面が、入射する光を散乱するように反射させるからである。また、透光プレートは、片面または両面に微細な凹凸を設けると共に、内部に白色顔料を添加して透過乱反射層を設けることもできる。透光プレート３０は、発光ダイオード４０の光の一部を透過させ、一部を散乱させるように反射させる。
【００２１】
また、詳細には図１５を用いて後述するが、利用する発光ダイオード４０は、白色光である。このような白色光は、発光チップ４１が青色光を発光し、そして、蛍光体４２は、発光チップ４１の発光を吸収して青色に混合して白色となる色（概略、黄色）に発光する。このような発光ダイオード４０の白色発光色は、一般的な昼光色の蛍光灯の光源とは色合いが異なる。蛍光灯を光源とする内照式の表示灯からの白色光と、本実施例のような白色発光ダイオード４０を光源灯とする内照式の表示灯からの白色光の色合いを同じようにするためには、例えば、プリント基板２０の表面を着色することにより、簡単に達成することができる。すなわち、本実施例において外部に放射される光を、蛍光灯の昼光色と同じような色合いとするには、プリント基板２０の表面を緑色がかった白色とするとよい
【００２２】
さらに、プリント基板２０は、表面に複数のチップ型の発光ダイオード４０を所定の間隔で固定している。プリント基板２０には、明確表示用の発光ダイオードとバックグラウンド用の発光ダイオードとを固定している。明確表示用の発光ダイオードは、透光プレート３０の明確表示領域３２に対向して光を照射する位置に固定され、バックグラウンド用の発光ダイオードは、透光プレート３０のバックグラウンド表示領域３３に対向して光を照射する位置に固定される。
【００２３】
図６の内照式の広告灯は、プリント基板２０と透光プレート３０との間であって、明確表示領域３２とバックグラウンド表示領域３３との境界に沿って隔壁１７を設けている。この構造の広告灯は、明確表示用の発光ダイオード４０Ａが明確表示領域３２のみに光を照射し、バックグラウンド用の発光ダイオード４０Ｂがバックグラウンド表示領域３３のみに光を照射する。したがって、この広告灯は、明確表示領域３２とバックグラウンド表示領域３３との境界で、光の照射状態を明確に分けることができる。ただ、本発明の内照式の表示灯は、明確表示領域とバックグラウンド表示領域との境界に、必ずしも隔壁を設ける必要はない。隔壁のない内照式の広告灯は、明確表示領域とバックグラウンド表示領域との境界部分に配置される発光ダイオードが、光の一部を隣の領域に照射する。したがって、この内照式の広告灯は、明確表示領域とバックグラウンド表示領域との境界を明確に区別しないように光を照射できる。
【００２４】
プリント基板２０の発光ダイオード４０は、電源装置５４に接続されて点灯される。電源装置５４は、例えば、図７に示すように、入力される電圧を発光ダイオード４０を点灯する電圧に変換して出力する電源回路５５と、この電源回路５５と発光ダイオード４０との間に接続されて、発光ダイオード４０の点滅を制御する制御回路５６とを備えている。この電源装置５４は、制御回路５６でもって、明確表示用の発光ダイオードを点滅させて、バックグラウンド用の発光ダイオードを連続して点灯する。制御回路５６は、各ユニット８０の複数の発光ダイオード４０の点滅を制御するスイッチング素子５７を備えている。図７において、各ユニット８０においては、５個のチップ型発光ダイオード４０と、２個のチップ型抵抗として電流制限抵抗素子５０とが直列接続されて、一端がアース配線８５に設置されて、他端に電源回路５５より電圧が印可される。なお、ユニット８０に設けられるチップ型発光ダイオード４０は、必要なら、１個とすることもできる。スイッチング素子５７をオンオフに制御して、発光ダイオード４０の点灯を制御する。明確表示用の発光ダイオードに接続しているスイッチング素子は、所定の周期でオンオフに切り換えられて、発光ダイオードを点滅させる。明確表示用の発光ダイオードに接続しているスイッチング素子は、たとえば０．１〜１０秒の周期、好ましくは０．２〜３秒、さらに好ましくは０．３〜２秒の周期でオンオフに切り換えられて、明確表示用の発光ダイオードの点滅させる。バックグラウンド用の発光ダイオードに接続しているスイッチング素子は、連続してオン状態に保持されて発光ダイオードを連続して点灯させる。
以上の実施例では、情報伝達表示として、明確表示領域３２とバックグラウンド表示領域３３に区分しているが、一方の領域を他方の領域と区別できるように、一方の表示領域用の発光ダイオードの発光動作（常時点灯及び点滅動作を含む）が、他方の表示領域用の発光ダイオードの発光動作（常時点灯及び点滅動作を含む）と異なることにより、本発明の上述の目的を達成することができる。
【００２５】
さらに、本発明の内照式の表示灯は、図８に示すように、互いに離して配置される複数の個別表示灯９０で構成することができる。この表示灯は、複数の個別表示灯９０と、各々の個別表示灯９０を点灯する電源装置５４とを備えている。各々の個別表示灯９０は、前述の広告灯と同じように、光の一部を内側から外側に透過し、かつ一部の光を散乱するように反射させる透過乱反射層を有し、かつ異なる文字や図形等の情報伝達表示を表示している透光プレートと、この透光プレートの内面に配設されて、透光プレートに光を照射する複数の発光ダイオードと、複数の発光ダイオードを固定しているプリント基板とを備えている。複数の個別表示灯９０を備える表示灯は、透光プレートを、必ずしも明確表示領域とバックグラウンド表示領域とに区画する必要はない。それは、各々の個別表示灯の点滅を制御して、よく目だつようにできるからである。
【００２６】
この表示灯は、信号線５９を介して各々の個別表示灯９０に電源装置５４を接続しており、電源装置５４が各々の個別表示灯９０を連携して点滅させる。図９は、電源装置５４が信号線５９を介して各々の個別表示灯９０を点灯する状態を示し、時間が経過するにつれ、歩行者Ａが左から右に歩いて進み、図９の（ａ）、（ｂ）、（ｃ）の状態となる。この図に示す個別表示灯９０は、歩道に設けられて、歩行者が歩く速度で、順番に個別表示灯９０を点灯させる。各々の個別表示灯９０は、全体の発光ダイオードを一緒に点滅する。この表示灯は、歩行者が近付く個別表示灯９０を点灯するので、歩行者が個別表示灯９０を強く認識できる特長がある。
本実施例の表示灯の点灯状態を示す図面においては、黒く塗りつぶした部分が消灯状態を、白抜きの部分が点灯状態をそれぞれ示している。
【００２７】
さらに、図１０ないし図１２は、各々の個別表示灯９０の発光ダイオードを部分的に点灯する具体例を示す。これ等の個別表示灯９０は、発光ダイオードを部分的に点灯できるように、複数の発光ダイオードをブロックに区分して電源装置に接続している。また、図１１に示す各々の個別表示灯９０は、発光ダイオードを調光して点灯する。各々の個別表示灯９０は、信号線を介して接続されて、互いに連携して発光ダイオードを点灯させる。図１０の個別表示灯９０は、図において左列から右列に向かって発光ダイオードを点灯し、全体の発光ダイオードを点灯した後、全体を消灯する。図１１の個別表示灯９０も、左列から右列に発光ダイオードを点灯させるが、最初に点灯する列の発光ダイオードは最大輝度に点灯しないで調光して点灯し、その後、最大輝度に点灯する。本実施例の表示灯の点灯状態を示す図においては、×印で示される部分は、調光した状態を示している。図１０と図１１の発光ダイオードは、縦列の発光ダイオードを同時に点灯している。個別表示灯は、縦列の発光ダイオードを同時に点灯するのではなくて、横列の発光ダイオードを同時に点灯して、順番に点灯することもできる。図１２の個別表示灯９０は、点灯する領域を千鳥状に変更して発光ダイオードを点灯させる。個別表示灯９０は、これ等の図に示すように、全体を複数の領域に分割し、分割された領域の発光ダイオードを点灯し、また消灯して、互いに連携して点滅させる。
【００２８】
以上の内照式の表示灯は、図８に示すように、各々の個別表示灯９０に電源装置５４を接続している。この電源装置５４も、入力される電源、たとえば商用電源である交流の１００Ｖを発光ダイオードの点灯電圧に変換する電源回路５５と、電源回路５５と発光ダイオードとの間に接続されて、発光ダイオードの点滅を制御する制御回路５６とを備える。各々の個別表示灯９０の制御回路５６は、信号線５９を介して全ての個別表示灯９０の点灯を制御するメイン制御装置５８に接続している。メイン制御装置５８は、たとえば図９ないし図１２に示すように、個別表示灯９０の点灯を制御する信号を、各々の個別表示灯９０に接続している制御回路５６に出力する。各々の個別表示灯９０に接続している制御回路５６は、信号線５９から入力される信号で制御回路５６を制御して、発光ダイオードを点滅させる。
【００２９】
プリント基板２０は、図２と図１３に示すように、光を散乱するように反射させる乱反射層２１を表面側に設けている。プリント基板２０は、表面に白色顔料を塗布して乱反射層２１を設けている。白色顔料は、粉末状でバインダーを介してプリント基板２０の表面に接着される。ただし、プリント基板は、表面に白色シートを接着して乱反射層を設けることもできる。色シートは、表面に微細な凹凸があって光を散乱させる。この白色シートは、たとえば不織布や白色紙である。プリント基板は、表面に微細な凹凸のある金属箔や金属板を接着して乱反射層を設けることもできる。金属製の乱反射層は導電性があるので、プリント基板の表面に設けてい導電パターンに対して絶縁するように配設する。
【００３０】
プリント基板２０の乱反射層２１は光を乱反射させる。光を乱反射させるプリント基板２０の乱反射層２１は、透光プレート３０の透過乱反射層３１で反射された光をさらに種々の方向に散乱するように反射させて、透光プレート３０を透過する光を均一に分散させる。すなわち、発光ダイオード４０から出た光は、透光プレート３０の透過乱反射層３１とプリント基板２０の乱反射層２１とで散乱される状態での反射を繰り返して、透光プレート３０から均一な光として外部に放出される。透光プレート３０は、透過乱反射層３１と乱反射層２１とで繰り返し散乱状態で反射された光を外部に放出する。この状態で光を外部に放出するので、各々の発光ダイオード４０の光は、透過乱反射層３１と乱反射層２１とで混合されて外部に放出される。したがって、隣接する発光ダイオード４０に色むらがあっても、色むらのある光を混合して外部に放出して色むらを解消できる。さらに、いずれかの発光ダイオード４０が故障して点灯しなくなっても、消灯された発光ダイオード４０を外部から見て目立たなくできる。それは、点灯している隣の発光ダイオード４０の発光が、消灯した発光ダイオード４０の近傍からも外部に光を放出するからである。
【００３１】
透光プレート３０の透過乱反射層３１は、光の一部を透過させるが、プリント基板２０の乱反射層２１は、発光ダイオード４０の光を透過させる必要はないので、プリント基板２０の乱反射層２１は光を透過させることなく効率よく反射するようにする。
【００３２】
プリント基板２０は、表面側の片面にのみ導電パターン２２Ｐを設けて、裏面には導電パターン２２Ｐを設けていない。プリント基板２０に設けている導電パターン２２Ｐは、発光ダイオード４０に接続されて、発光ダイオード４０に電流を流して点灯する。プリント基板２０の表面に設けた導電パターン２２Ｐを図１３に示す。この図のプリント基板２０は、所定の間隔離されて互いに平行な正負の電源ライン２２を有し、正負の電源ライン２２の間に、直線状に複数の発光ダイオード４０と電流制限素子５０とを直列に接続しているＬＥＤ回路２３を複数列に平行に並べて配設し、ＬＥＤ回路２３の端部を正負の電源ライン２２に接続している。図のプリント基板２０は、ひとつのＬＥＤ回路２３に、５個の発光ダイオード４０と２個の電流制限素子５０である抵抗を直列に接続している。図１４は、図１３のプリント基板２０を切断した一部を示す。プリント基板２０は、図１４の紙面において上下の端縁に沿って水平方向に伸びるよう正負の電源ライン２２を設けており、上下の電源ライン２２に上下端を接続するように、ＬＥＤ回路２３を上下方向に伸びるように複数列に設けている。
【００３３】
そして、本実施例において、図１３に示されるプリント基板２０においては、鎖線にて区分して示される発光体として利用できる最小の単位を、ユニット８０としている。プリント基板２０より切断された図１４の連続されたユニット８０において、各ユニット８０には、図１３の紙面の上下方向に伸びるＬＥＤ回路２３を有し、中央側電源ライン２２Ａの近傍には、この中央側電源ライン２２Ａに接続されてなる出力端子２４ＡＵが設けられている。この出力端子２４ＡＵにおいては、導電パターンの内側に設けられたプリント基板２０の円形の開口を備え、この開口の周縁は、乱反射層２１が設けられることなく、導電パターンが露出している。
そして、出力端子２４ＡＵから端部側電源ライン２２Ｂ（図１４において下側方向）に向かって延在した導電パターンである延在ライン２２Ｕを有し、その下端に出力端子２４ＡＤを備えている。この出力端子２４ＡＤは、上述の出力端子２４ＡＵと同様の構造である。
【００３４】
一方、端部側電源ライン２２Ｂの近傍には、この端部側電源ライン２２Ｂに接続されてなる出力端子２４ＢＤが設けられている。この出力端子２４ＢＤは、上述の出力端子２４ＡＵと同様の構造である。また、端部側電源ライン２２Ｂは、中央側電源ライン２２Ａ（図１４において上側方向）に向かって延出した導電パターンである延在ライン２２Ｄを有し、その上端に出力端子２４ＢＵを備えている。この出力端子２４ＢＵは、上述の出力端子２４ＡＵと同様の構造である。
【００３５】
したがって、各ユニット８０においては、上下の両側において、中央側電源ライン２２Ａと端部側電源ライン２２Ｂの出力端子２４ＡＵ、２４ＢＵ同士、及び出力端子２４ＡＤ、２４ＢＤ同士が隣接して配置される。よって、隣接する出力端子２４ＡＵ、２４ＢＵ、または、出力端子２４ＡＤ、２４ＢＤ間に、電力を供給することにより、プリント基板２０の発光ダイオード４０に通電できる。
【００３６】
また、図１３においては、上側に位置する複数のユニット８０における上端に位置する端部側電源ライン２２Ｂと、下側に位置する複数のユニット８０における下端に位置する端部側電源ライン２２Ｂとが、プリント基板２０の両側において、導電パターンである連結ライン２２Ｓで接続されている。さらに、上側に位置する複数のユニット８０における下端に位置する中央側電源ライン２２Ａと、下側に位置する複数のユニット８０における上端に位置する中央側電源ライン２２Ａとが、プリント基板２０の中央部において、導電パターンである連結ライン２２Ｍで接続されている。
【００３７】
このようなユニット８０を備えるプリント基板２０においては、いずれかのユニット８０の隣接する出力端子２４に、電力を供給するだけで、プリント基板２０上における全体の発光ダイオード４０に電力を供給することができる。
【００３８】
図１３に示すように、このプリント基板２０は、鎖線で示すように、隣接するＬＥＤ回路２３の間で切断し、さらに、切断された１枚のプリント基板２０に一対の電源ライン２２が含まれるように、鎖線で示す位置で切断することができる。たとえば、切断して図１４に示すように、４つのユニット８０の状態で使用でき、その他、ユニット８０を１つ以上連結した状態で使用することもできる。このようなユニット８０を連結して使用する場合であっても、ひとつの隣接する出力端子２４に電力を供給するだけで、全体の発光ダイオード４０に電力を供給することができる。
【００３９】
そして、このようなユニット８０を組み合わせた形状は、内照式の広告灯等の内照式の表示灯として要望される種々のケース１０の形状に応じて、プリント基板２０より切断することができる。また、プリント基板２０を複数使用することもできる。
【００４０】
プリント基板２０は、隣接する出力端子２４をリード線７１を介して接続し、あるいはリード線７１とコネクター７２を介して接続して、全てのプリント基板２０の発光ダイオード４０に通電できる。ここで、リード線７１又はコネクター７２の金属端子（図示せず）は、出力端子２４の開口周縁に露出する導電パターンに半田付けされる。
【００４１】
プリント基板２０は、チップ型の発光ダイオード４０を表面に固定している。発光ダイオード４０は、図１５の概略断面図に示すように、可視光線を発光する発光チップ４１と、この発光チップ４１の発光に励起されて、発光チップ４１の発光とは異なる色の可視光線を発光する蛍光体４２とを備えている。発光チップ４１は、たとえば青色光を発光する。蛍光体４２は、発光チップ４１の発光を吸収して、青色に混合して白色となる色に発光する。この蛍光体４２は、発光チップ４１の表面に塗布される透明樹脂４３に充填される。透明樹脂４３はエポキシ樹脂系あるいはアクリル系の透明な樹脂であって、未硬化な状態で蛍光体４２を混合し、蛍光体４２を混合した未硬化でペースト状の樹脂を発光チップ４１の表面に塗布して硬化させる。図１５の発光ダイオード４０は、発光チップ４１を支持ベース４４の上に固定している。支持ベース４４に固定している発光チップ４１を被覆するように、蛍光体混合樹脂で被覆している。この図に示す発光ダイオード４０は、発光チップ４１の光を外部に放射する光路に蛍光体４２を配設して、発光チップ４１の発光と蛍光体４２との発光の両方を外部に放射して、発光チップ４１の発光と蛍光体４２の発光で白色に発光する。発光チップ４１に設けた一対の電極は、金属線４６で取出電極４５に接続される。発光ダイオード４０は、図１６に示すように、蛍光体４２を充填している透明樹脂４３の表面を、光を透過させるカバー樹脂４７で被覆することもできる。この発光ダイオード４０は、取出電極４５をプリント基板２０の導電パターン２２Ｐに半田付け等の方法で接続してプリント基板２０に固定される。
【００４２】
図２の内照式の広告灯は、スペーサー６０を介してプリント基板２０をケース１０に固定している。スペーサー６０は、プラスチックを図１７に示すロッド状に一体的に成形したもので、下端部にはケース１０を固定する固定部６１を、上端部にはプリント基板２０を連結する連結部６２を設けている。下端部の固定部６１は、下端に設けた鍔６１Ａと、ケース１０の貫通孔１６に挿入される一対の弾性アーム６１Ｂとを有する。弾性アーム６１Ｂは、弾性的に拡開されて、ケース１０の上面に当接する。この固定部６１は、弾性アーム６１Ｂと鍔６１Ａとでケース１０の底プレート１１を挟んで、ケース１０に抜けないように固定される。弾性アーム部６１Ｂは、弾性変形してケース１０の貫通孔１６に挿通された後、開いてケース１０を保持する。さらに、スペーサー６０の上部に設けた連結部６２も、一対の拡開アーム６２Ａを設けている。この拡開アーム６２Ａも弾性的に拡開して、プリント基板２０の上面に当接する。この連結部６２は、拡開アーム６２Ａと弾性アーム６１Ｂの上面とでプリント基板２０を挟着して、プリント基板２０を定位置に保持する。拡開アーム６２Ａは、弾性変形してプリント基板２０の貫通孔２５に挿通された後、開いてケース１０を保持する。このスペーサー６０は、ケース１０の貫通孔１６に挿入して簡単にケース１０に固定され、さらに、プリント基板２０の貫通孔２５に挿入してプリント基板２０を簡単に固定できる。なお、プリント基板２０に設けられた貫通孔２６は、プリント基板２０を取り付ける際に指を掛けるのに利用される。このような貫通孔２６を省略することもできる。また、スペーサー６０は、白色等のプラスチック材料からなると共に、先端が略半円球状であるので、発光ダイオード４０の光を充分に反射することができる。
【００４３】
図１の内照式の広告灯は、ケース１０内に、四角形である複数枚のプリント基板２０を収納している。各々のプリント基板２０は、出力端子２４をリード線７１で接続して、互いに接続される。四角形に切断された各々のプリント基板２０は、スペーサー６０を介してケース１０に固定するための貫通孔２５を３つ以上、好ましくは４つ以上設けている。プリント基板２０の貫通孔２５にはスペーサー６０が挿入され、このスペーサー６０を介してケース１０の底プレート１１から所定の間隔離して定位置に固定される。スペーサー６０を介してケース１０に固定されたプリント基板２０は、下面にリード線７１を接続して、プリント基板２０の裏面とケース１０との間に、プリント基板２０の出力端子２４に接続しているリード線７１を配設する。
【００４４】
プリント基板２０の下面に、コネクター７２を介して絶縁被覆のあるリード線７１を接続している内照式の広告灯は、プリント基板２０とケース１０の底プレート１１とを著しく接近させて、プリント基板２０の導電部をケース１０から確実に絶縁できる特長がある。それは、プリント基板２０が下面に導電パターンを設けておらず、さらにコネクター７２をプリント基板２０に下面に固定して、プリント基板２０の下面に導電部を表出させないからである。したがって、この構造の内照式の広告灯は、ケース１０を最も薄くしながら、プリント基板２０を確実に絶縁できる。
【００４５】
さらに、内照式の広告灯は、図１８に示す取付構造として、プリント基板２０をケース１０に接近させて、壁面等の固定ベース７４に固定できる。この内照式の広告灯は、内照式の広告灯を固定する止ボルト７３の頭部を貫通させる貫通孔２６をプリント基板２０に設けている。止ボルト７３は、頭部をプリント基板２０に貫通させて、ケース１０の底プレート１１を固定ベース７４に固定する。止ボルト７３の頭部は、ステンレス等の金属であるので、光を充分に反射する。
【００４６】
【発明の効果】
本発明の請求項１の内照式の表示灯は、製作コストを低減しながら、情報伝達表示がよく目だつように光で照射できる特長がある。それは、発光ダイオードの光で照射する透光プレートを明確表示領域とバックグラウンド表示領域とに区画すると共に、明確表示領域を点滅する発光ダイオードで照射して、バックグラウンド表示領域を連続的に点灯する発光ダイオードで照射するからである。発光ダイオードは、フィラメントを加熱する電球とは反対に、点滅させて点灯時の輝度を高くできる。電球は点滅すると、消灯してから点灯するときにフィラメントが過熱されて寿命が極端に短くなるが、発光ダイオードは点灯時にこのような弊害がなく、消灯する間に発光ダイオードを冷却できるので、連続して点灯するのに比較して、点滅するときには点灯時により大きな電流を流すことができて、輝度を高くできる。このため、明確表示領域を点滅させて目だつようにでき、さらに点灯時の輝度を高くして明確表示領域の文字や図形等の情報伝達表示を極めて見やすくできるという内照式の表示灯にとって極めて大切な特長を実現する。
【００４７】
また、本発明の請求項６の内照式の表示灯は、互いに離して複数の個別表示灯を配置して、各々の個別表示灯を点灯する電源装置を信号線を介して互いに接続し、信号線を介して接続される電源装置で各々の個別表示灯を連携して点滅させるので、互いに関連する情報伝達表示を時間差を設けて歩行者等に強いインパクトで表示できる特長がある。
【図面の簡単な説明】
【図１】本発明の一実施例にかかる内照式の表示灯の分解斜視図
【図２】本発明の一実施例にかかる内照式の表示灯の断面図
【図３】透光プレートに設ける情報伝達表示の一例を示す平面図
【図４】透光プレートに設ける情報伝達表示の他の一例を示す平面図
【図５】透光プレートに設ける情報伝達表示の他の一例を示す平面図
【図６】本発明の他の実施例にかかる内照式の表示灯の断面図
【図７】本発明の一実施例にかかる内照式の表示灯の配線図
【図８】本発明の他の実施例にかかる内照式の表示灯の概略構成図
【図９】図８に示す内照式の表示灯の点灯状態の一例を示す図
【図１０】図８に示す内照式の表示灯の点灯状態の他の一例を示す図
【図１１】図８に示す内照式の表示灯の点灯状態の他の一例を示す図
【図１２】図８に示す内照式の表示灯の点灯状態の他の一例を示す図
【図１３】プリント基板の一例を示す平面図
【図１４】図１３のプリント基板を切断した一部を示す平面図
【図１５】プリント基板に固定される発光ダイオードの一例を示す拡大断面図
【図１６】プリント基板に固定される発光ダイオードの他の一例を示す拡大断面図
【図１７】ケースとプリント基板との連結構造を示す拡大断面図
【図１８】本発明の他の実施例にかかる内照式の表示灯の断面図
【符号の説明】
１０…ケース
１１…底プレート
１２…周壁
１３…折曲面
１４…貫通孔
１５…止ネジ
１６…貫通孔
１７…隔壁
２０…プリント基板
２１…乱反射層
２２…電源ライン          ２２Ａ…中央側電源ライン
２２Ｂ…端部側電源ライン
２２Ｕ…延在ライン
２２Ｄ…延在ライン
２２Ｓ…連結ライン
２２Ｍ…連結ライン
２２Ｐ…導電パターン
２３…ＬＥＤ回路
２４…出力端子            ２４ＡＵ…出力端子
２４ＡＤ…出力端子
２４ＢＵ…出力端子
２４ＢＤ…出力端子
２５…貫通孔
２６…貫通孔
３０…透光プレート
３１…透過乱反射層
３２…明確表示領域
３３…バックグラウンド表示領域
４０…発光ダイオード      ４０Ａ…明確表示用の発光ダイオード
４０Ｂ…バックグラウンド用の発光ダイオード
４１…発光チップ
４２…蛍光体
４３…透明樹脂
４４…支持ベース
４５…取出電極
４６…金属線
４７…カバー樹脂
５０…電流制限素子
５４…電源装置
５５…電源回路
５６…制御回路
５７…スイッチング素子
５８…メイン制御装置
５９…信号線
６０…スペーサー
６１…固定部              ６１Ａ…鍔
６１Ｂ…弾性アーム
６２…連結部              ６２Ａ…拡開アーム
７１…リード線
７２…コネクター
７３…止ボルト
７４…固定ベース
８０…ユニット
８５…アース配線
９０…個別表示灯
【図１】
2004279986.tif 000003
【図２】
2004279986.tif 000004
【図３】
2004279986.tif 000005
【図４】
2004279986.tif 000006
【図５】
2004279986.tif 000007
【図６】
2004279986.tif 000008
【図７】
2004279986.tif 000009
【図８】
2004279986.tif 000010
【図９】
2004279986.tif 000011
【図１０】
2004279986.tif 000012
【図１１】
2004279986.tif 000013
【図１２】
2004279986.tif 000014
【図１３】
2004279986.tif 000015
【図１４】
2004279986.tif 000016
【図１５】
2004279986.tif 000017
【図１６】
2004279986.tif 000018
【図１７】
2004279986.tif 000019
【図１８】
2004279986.tif 000020